(57)【特許請求の範囲】
【請求項１】
勾配屋根に葺かれる厚物の瓦であって、野地板又は瓦の上に設置される本体部（３０）と、その本体部から略直角に垂下される垂下部（４０）とからなる縦断面が略逆Ｌ字形をなす袖瓦（５０）において、前記垂下部は、内方面部（４１）と、前記内方面部よりも外方へ露出している外方面部（４３）と、前記内方面部と前記外方面部とを傾斜面で連結した中間面部（４２）とからなり、前記袖瓦の１段上位に葺設される上位袖瓦の垂下部から雨滴が雨垂れとして落下してゆくのを抑止する細桟状部材（６０）を前記内方面部の尻部（Ａ）から中間面部までの下端部に設けたことを特徴とする袖瓦。
【請求項２】
前記細桟状部材（６０）は、その上面（６１）に雨水を受けて前記尻部（Ａ）から頭部（Ｂ）側に流下可能な平面又は内方に向かって傾く傾斜平面若しくは傾斜曲面を備えている請求項１記載の袖瓦。
【発明の詳細な説明】
【技術分野】
【０００１】
本発明は、切妻屋根の袖部に葺設される縦断面が略逆Ｌ字形をなす袖瓦、特に風を伴い斜めに降雨時に雨垂れが発生するのを抑制可能にした構造の袖瓦に関するものである。
【背景技術】
【０００２】
従来から種々の袖瓦が知られているが、その中に、図９に示すように、野地板１又はその上に葺かれた波形の瓦２の上に設置される波形の本体部３と、その本体部３から略直角に垂下する横板状の垂下部４とからなる、葺設された状態における垂直方向の断面（縦断面）が略逆Ｌ字形をなす袖瓦５が知られている（特開平１０−１６９１０４号公報）。
【０００３】
この袖瓦５においては、前記本体部３と垂下部４との間に溝部６が設けられているので、前記公知技術は、その溝部６が本体部３の頂部から流下する雨水を切妻屋根の軒先側に集水して流下させることにより、雨水を前記垂下部３に溢流させるのを抑止し、ひいては垂下部３の内側下方に露出している破風板７が腐食するのを抑制するという効果を発揮している。
【特許文献１】特開平１０−１６９１０４号公報
【発明の開示】
【発明が解決しようとする課題】
【０００４】
しかしながら、最近、より快適な住環境が求められるようになるにつれて、前記構造の袖瓦５には次のような問題の解決が必要になってきた。すなわち、前記切妻屋根が風を伴わず真っ直ぐに降雨を受けているときには問題が少ないが、風を伴い斜めに降雨するときは、前記垂下部４を濡らした雨水が、垂下部４のうち切妻屋根の軒先側下端エッジ８に集まり、その下端エッジ８から雨滴９として落下する。
【０００５】
そして、雨滴９が雨垂れの音を発生させ、その雨垂れ音が、快適な住環境下にある住宅の住人の安眠を妨げる場合がある。そこで、本発明者は、前記構造の袖瓦の垂下部から雨滴が雨垂れとなって快適な住環境を損なうようなことがない構造の袖瓦を提案すべく鋭意検討し、本発明を完成した。
【０００６】
従って、本発明の課題は、野地板又は瓦の上に設置される本体部と、その本体部から略直角に垂下される垂下部とからなる縦断面が略逆Ｌ字形をなす袖瓦において、その袖瓦が風を伴い斜めに降雨を受けとき、その垂下部に集水された雨水が、雨滴となって落下して雨垂れ音を発生させるのを抑制できるようにした構造の袖瓦を提供することにある。
【課題を解決するための手段】
【０００７】
本発明は、前記の課題を解決するために、勾配屋根に葺かれる厚物の瓦であって、野地板又は瓦の上に設置される本体部（３０）と、その本体部から略直角に垂下される垂下部（４０）とからなる縦断面が略逆Ｌ字形をなす袖瓦（５０）において、前記垂下部は、内方面部（４１）と、前記内方面部よりも外方へ露出している外方面部（４３）と、前記内方面部と前記外方面部とを傾斜面で連結した中間面部（４２）とからなり、前記袖瓦の１段上位に葺設される上位袖瓦の垂下部から雨滴が雨垂れとして落下してゆくのを抑止する細桟状部材（６０）を前記内方面部の尻部（Ａ）から中間面部までの下端部に設けるという構成を採用する。
【０００８】
前記構成を採用することにより、任意の袖瓦が風を伴い斜めに降雨を受けたとき、その袖瓦の細桟状部材が、その袖瓦の１段上位の葺設される上位袖瓦の垂下部から落下する雨滴を受け止める。前記任意の袖瓦の上位又は下位の葺設される上位又は下位袖瓦においても同じである。
【０００９】
本発明に係る前記細桟状部材は、前記袖瓦の尻部から中間面部まで延びて、その間に前記任意の袖瓦の１段上位に敷設される上位袖瓦の垂下部からの雨滴を受けることが可能な構造になっている。
【００１０】
このように前記細桟状部材は前記袖瓦の頭部側まで完全には延長されていないが、前記細桟状部材の上に載って流下する雨水は表面張力の作用により前記垂下部に面状に拡散し、雨滴を形成しない。
【００１１】
前記細桟状部材は、その上面に上位袖瓦の垂下部から受けた雨水を受けて前記尻部から頭部側にそのまま流下させることができるように、平面又は内方に向かって傾く傾斜平面若しくは傾斜曲面を備えている。
【発明の効果】
【００１２】
上記の解決手段を採用することにより、上記袖瓦が風を伴い斜めに降雨を受けとき、その垂下部に集水された雨水が、雨滴となって落下して雨垂れ音を発生させるのを抑制でき、ひいては住環境の一層の向上を可能にするという優れた効果を本発明が発揮する。
【発明を実施するための最良の形態】
【００１３】
図１〜図８を参照しながら、本発明を実施するための最良の実施形態について説明するが、以下において任意の袖瓦又はその構成要素や構成部位以外のそれら、例えば、上位袖瓦や下位袖瓦又はそれらの構成要素や構成部位について言及するときは、後者の構成要素や構成部位に付すべき符号を省略して説明する。また、本発明において、「抑止」とは、後述するように、風を伴い斜めに降雨があったとき、雨垂れの音の発生を抑止して快適な住環境の形成に繋がる操作を意味する。本発明に係る縦断面が略逆Ｌ字形をなす袖瓦５０の基本的構造は、従来技術のそれと同様に、野地板又は瓦（図示なし）の上に設置される平板状の本体部３０と、その本体部３０の一側部から略直角に垂下される垂下部４０とからなっている。
【００１４】
前記本体部３０の尻部Ａ側には、雨水の浸入を防止する水返し３１が横幅方向に向かって形成されている。袖瓦５０の頭部Ｂには、袖瓦５０の内方に湾曲した曲面部３２が形成されており、その下端面３３が１段下位に葺設される下位袖瓦の水返し上を上から回り込んで、下位袖瓦の本体部に当接して、袖瓦５０の本体部３０から上位袖瓦の内側に対する雨水の浸入が防止されている。なお、本体部３０上にはその尻部Ａ側から頭部Ｂ側に向かって集水溝３４が形成されており、本体部３０に降水した雨水及び上位の袖瓦の集水溝から流下した雨水が流れるようになっている。
【００１５】
次に、前記本体部３０の一側部に対して略直角に垂下される垂下部４０には、その頭部Ｂ寄りの部位から尻部Ａに亘って徐々に袖瓦５０の内方寄りに幾分後退した内方面部４１が形成されており、その内方面部４１に対して、上位袖瓦の外方面部｛袖瓦５０の頭部Ｂにおいて最も外方に露出している面部（以下、本発明において「外方面部」４３という）に相当する面部｝を重ねても、上下位に葺設された複数個の袖瓦が切妻屋根の軒先部から棟部にかけて同じ幅を以って一列に配設するようになっている（図２参照）。
【００１６】
図１、図４及び図５に示すように、前記垂下部４０の側面は台形をなし、頭部Ｂの下端面３３から下端エッジ８０までの頭部高さＨｂは、尻部Ａの水返し３１の高さと細桟状部材６０の厚みを除く尻部高さＨａより幾分小さくなっている。そして、図１に示すように、任意の袖瓦５０に対して、その１段上位に上位袖瓦を葺設したとき、袖瓦５０の細桟状部材の上面６１と上位袖瓦の下端エッジ８０の間に高低差が生ずるようになっている。
【００１７】
さらに、袖瓦５０において内方面部４１の下端部が細桟状に外方に突出して、上位袖瓦の外方面部の下端面より下方に位置する細桟状部材６０を形成し、袖瓦５０の１段上位に葺設される上位袖瓦の垂下部からの雨滴が雨垂れとして落下してゆくのを抑止している。このように、細桟状部材６０は、上位袖瓦の垂下部からの雨滴を受け取って尻部Ａ側から頭部Ｂ側に流下させる機能を有しているので、そこに一旦受け取って雨水を外方に溢流させないようにするため、その上面６１は、平面又は内方に向かって傾く傾斜平面若しくは傾斜曲面になっている。
【００１８】
さらに細桟状部材６０は、図１に示すように、前記袖瓦５０の内方面部４１に沿って延び、頭部Ｂの外方面部４３まで到達することなく、内方面部４１と外方面部４３との間に認識される中間面部４２まで延びて、その先端は先細りになっている。
【００１９】
そのため細桟状部材６０上を流下した雨水は、水の表面張力の作用により、前記中間面部４２を経由して外方面部４３に移動してゆく。外方面部４３において下端エッジ８０が存在する部位には、下位に葺設される袖瓦の細桟状部材が存在するから、その下端エッジ８０から雨滴が雨垂れとなって落下することはない。このように、本発明は、前記垂下部４０の下端エッジ８０から雨滴が落下して雨垂れになって住環境を阻害するような状況下に適用してこそ意義があり、そして前記細桟状部材６０が前記垂下部４０の下端エッジ８０から雨滴が落下するのを直接阻止することに、本発明の存在意義がある。
【００２０】
このようにして、本発明は、切妻屋根の袖瓦５０が風を伴い斜めに降雨を受けとき、その垂下部４０に集水された雨水が、雨滴となって落下して雨垂れ音を発生させるのを抑制する。
【００２１】
本発明はその根本的技術思想を踏襲し、発明の効果を著しく損なわない限度において、前記実施態様の一部分を変更して実施することができる。例えば、内方面部４１、中間面部４２及び外方面部４３を１つ又は２つの面に変更できるし、細桟状部材６０の長さも変更できる。垂下部４０の表面形状又は粗さも細桟状部材上を流下する雨水の拡散・伝播をより促進可能な範囲で変更できる。
【産業上の利用可能性】
【００２２】
本発明は、破風板を保護する用途に使用される袖瓦として切妻屋根に広く有用できる。
【図面の簡単な説明】
【００２３】
【図１】本発明に係る袖瓦の葺設状態を示す斜視図である。
【図２】同じく上面図である。
【図３】本発明に係る袖瓦の平面図である。
【図４】同じく左側面図ある。
【図５】右側面図である。
【図６】正面図（図３のＸ―Ｘ矢視図）である。
【図７】背面図（図３のＹ―Ｙ矢視図）である。
【図８】裏面図である。
【図９】従来技術の斜視図である。
【符号の説明】
【００２４】
１    野地板
２    瓦
３    本体部
３０    本体部
３１    水返し
３２    曲面部
３３    端面
３４    集水溝
４    垂下部
４０    垂下部
４１    内方面部
４２    中間面部
４３    外方面部
５    袖瓦
５０    袖瓦
６    溝部
６０    細桟状部材
７    破風板
８    下端エッジ
８０    下端エッジ
９    雨滴
Ｈａ    尻部高さ
Ｈｂ    頭部高さ
【図１】
0004804119.tif 000002
【図２】
0004804119.tif 000003
【図３】
0004804119.tif 000004
【図４】
0004804119.tif 000005
【図５】
0004804119.tif 000006
【図６】
0004804119.tif 000007
【図７】
0004804119.tif 000008
【図８】
0004804119.tif 000009
【図９】
0004804119.tif 000010